(57)【要約】  システムであって、−側部ボックス（２０４）と側板クロージャ（２０２）との間に、ハンドルバー（２０３）によって可動の水平摺動布（２０１）を備え付けている摺動遮へい体（２００）と、−ハンドルバー（２０３）内に折り畳み及び挿入可能なガイド本体を形成しているそれらの間に、連続して交互に連結される複数の第１のガイドモジュール（１５１）及び複数の第２のガイドモジュール（１５２）を備え、ハンドルバー（２０３）、ハンドルバー（２０３）と側部ボックス（２０４）との間に挿入可能な第１のガイドモジュール（１５１）及び第２のガイドモジュール（１５２）内で自由に摺動するように構成している、側部ボックス（２０４）及び第２の末端部（１５１ｔ）に固定可能な第１の末端部を含む摺動遮へい体（２００）用のガイド式及び伸張式格納機構（１５０）とを備えるシステム。摺動遮へい体（２００）は、少なくとも下部ポケット（２０１ａ）を備え、ガイド式及び伸張式格納機構（１５０）は、少なくとも第２の末端部（１５１ｔ）及び下部ポケット（２０１ａ）内に挿入される第２の自由端部に固定される第１の端部（１５３ａ）を設けた伸張部材（１５３）を備える。【選択図】図４
2019519699.tif 000002
【特許請求の範囲】
【請求項１】
システムであって：
−側部ボックス（２０４）と側板クロージャ（２０２）との間に、ハンドルバー（２０３）によって可動の水平摺動布（２０１）を備え付けている摺動遮へい体（２００）と、
−前記ハンドルバー（２０３）内に折り畳み及び挿入可能なガイド本体を形成しているそれらの間に、連続して交互に連結される複数の第１のガイドモジュール（１５１）及び複数の第２のガイドモジュール（１５２）を備え、前記ハンドルバー（２０３）、前記ハンドルバー（２０３）と前記側部ボックス（２０４）との間に挿入可能な前記第１のガイドモジュール（１５１）、及び前記第２のガイドモジュール（１５２）内で自由に摺動するように構成している、前記側部ボックス（２０４）及び第２の末端部（１５１ｔ）に固定可能な第１の末端部を含む前記摺動遮へい体（２００）用のガイド式及び伸張式格納機構（１５０）とを備え、
前記摺動遮へい体（２００）は、少なくとも下部ポケット（２０１ａ）を備え、前記ガイド式及び伸張式格納機構（１５０）は、少なくとも前記第２の末端部（１５１ｔ）及び前記下部ポケット（２０１ａ）内に挿入される第２の自由端部に固定される第１の端部（１５３ａ）を設けた伸張部材（１５３）を備えることを特徴とするシステム。
【請求項２】
前記伸張部材（１５３）が、前記第１のガイドモジュール（１５１）の第１のハウジング（１５１ａ）内に配置され、前記下部ポケット（２０１ａ）が、前記第２のガイドモジュール（１５２）の第２のハウジング内に配置されることを特徴とする、請求項１に記載のシステム。
【請求項３】
前記伸張部材（１５３）が金属材料でできていることを特徴とする、請求項１に記載のシステム。
【請求項４】
前記伸張部材（１５３）がプラスチック材料でできていることを特徴とする、請求項１に記載のシステム。
【請求項５】
前記伸張部材（１５３）が棒材であることを特徴とする、請求項１に記載のシステム。
【発明の詳細な説明】
【技術分野】
【０００１】
本発明は、摺動遮へい体並びに摺動遮へい体用のガイド式及び伸張式格納機構を備えるシステムに関するものである。
【背景技術】
【０００２】
公知であるように、移動折り畳み式ガイドがスクロールする遮へい体に存在することで、開閉操作において優れた安定性を保証する。このような遮へい体は、蚊帳又はカーテンであり、壁の区画内に据え付けられ、主に、一端部では巻取り式側部ボックスに取り付けられ、他端部ではハンドルバーに取り付けられた遮へい体；固定式上部ガイド；固定式下部ガイド；側板クロージャ；及び下部固定式ガイドを摺動し、ハンドルバーに挿入可能である下部折り畳み移動式ガイドによって構成される。
【０００３】
側部ボックスとハンドルバーとの間の固定式下部ガイドに配置される下部移動式ガイドは、遮へい体が開放状態であるとき、補強要素として役立つ。実際に遮へい体の開口中には、下部移動式ガイドは、ハンドルバー内の静止位置から、下部固定式ガイド上で伸張される動作位置に移動し、このように、外部応力が生じた場合の損傷からの保護と同様に、不安定な動作の影響下での遮へい体の優れた安定性を保証する。
【０００４】
反対に、閉鎖状態では、ハンドルバー内の下部移動式ガイドの挿入により、専有面積を小さくすることができる。
【０００５】
第１の公知の解決策は、欧州特許第２３１２１１３号（特許文献１）に記載され、水平に摺動可能な蚊よけローラースクリーンに関するものである。その構成は、上部の横桟に接続して、ハンドルを備えた垂直に移動する縦框を有する。スクリーンの開閉時に、挿入され又は格納され、スクリーンの下部フレーム部品として役立つ縦框内に、フレキシブルなチェーンが収納される。特に、当出願よって、フレーム部品内に目に見えないように収納され、チェーンをスクリーンローラに接続するケーブルの配置及び予備伸張が記載される。
【０００６】
第２の公知の解決策が、国際公開第２０１３０１５６８９号（特許文献２）に記載され、第１及び第２の実質的に平行な支柱、格納及び延長可能な実質的に矩形のスクリーン部材、並びに第１のフレキシブルなガイド部材を含む建築用開口部のための格納及び延長可能なカバー機構を開示している。第１のフレキシブルなガイド部材は、第１及び第２の支柱のうち一方に偏らせ、その中に摺動可能に受け入れることができる。各平行な支柱は中空の内部を有し、第１及び第２の支柱のうち少なくとも１つが、他方に対して向かって及び離れて移動することができる。格納及び延長可能なスクリーン部材は、第１及び第２の対向する一対の平行な縁部を有し、その第１の一対の平行な縁部にて第１及び第２の平行な支柱との間に装着される。第１のフレキシブルなガイド部材は、スクリーン部材の第２の平行な一対の縁部の一縁部に沿って、及びスクリーン部材の一縁部を保持するための第１及び第２の支柱との間に延在する。第１及び第２の平行な支柱は、基部側面部分及び補助部側面部分をそれぞれ含み、両方の間に第１のフレキシブルなガイド部材を摺動可能に受け入れるために、間を隔ててそこに中空内部を画定する。
【０００７】
第３の解決策は、米国特許出願公開第２０１０２５２２１０号（特許文献３）に記載され、建築用開口部用の障害物、特に、スクリーン用品及び建築用開口部を仕切るための方法が開示されている。スクリーン用品は、細長い高架のフレーム部材、横向きの固定式サイドフレーム部材、移動可能なサイドフレーム部材、及び細長い関節式下部フレーム部材を含む。スクリーン部材は、フレーム部材との間に延在し、スクリーン部材は、スクリーンが開口した時の折り畳まれた状態と、移動可能なサイドフレーム部材の移動によってスクリーンが閉じたときの拡張状態との間で入替え可能である。
【０００８】
第４の解決策は、簡単な長さ調整作業が可能なスクリーン機構に関する欧州特許第２４８７３１７号（特許文献４）に記載されており、上部摺動ガイドフレーム部分を構成する第１の剛体ユニットの大きさが下部摺動ガイドフレーム部分を構成する第２の剛体ユニットの大きさより小さく、上部摺動ガイドフレーム部分及び下部摺動ガイドフレーム部分が、スクリーン装着フレーム内部に格納される場合、第１の剛体ユニットの側壁部分は、第２の剛体ユニットの側壁部分との間に収められ、上部摺動ガイドフレーム部分は、スクリーン装着フレーム内部で下部摺動ガイドフレーム部分と交差し、第１の剛体ユニットの接続部は、スクリーンデバイスの長さを調整する際に、スクリーン装着フレーム内部の任意の位置で解除可能であり、上部摺動ガイドフレーム部分は、スクリーン装着フレームから取り出し可能であるため、当該分野の取付けにおいて長さの調整が容易になるような方法で構成される。
【０００９】
最後の解決策は、円弧部、アンダーカット部、べべリング部、又は類似部に対して、完全に開口する位置と完全に閉鎖する位置との間で移動する蚊帳に関する欧州特許第２４００１０５号（特許文献５）に記載されており、固定された末端部が、上記開口部と、第１のガイドに摺動しながら連結して、垂直に摺動可能な棒材を収容する移動式中空垂直材の側板に付随し移動する末端部との範囲を定め、フレームの第１の部分と完全に一体となる網部を備えており、棒材の上端部が、第２のガイドに摺動しながら連結して、上記移動式の側板内部及び上記第２のガイド内部で動作するのに適している伸張ケーブル自体を、固定された末端部がフレームの第２の部分と完全に一体となる補償ばねに取り付けるまで支持する。
【先行技術文献】
【特許文献】
【００１０】
【特許文献１】欧州特許第２３１２１１３号
【特許文献２】国際公開第２０１３０１５６８９号
【特許文献３】米国特許出願公開第２０１０２５２２１０号
【特許文献４】欧州特許第２４８７３１７号
【特許文献５】欧州特許第２４００１０５号
【発明の概要】
【発明が解決しようとする課題】
【００１１】
しかしながら、機能的であるが、これらの移動折り畳み式ガイドは、風の影響下、又は、偶発的な現象が生じた場合、それらはこのような条件において容易に外れる可能性があるように、遮へい体で確実に塞がることを保証しない。
【００１２】
本発明の目的は、摺動遮へい体、並びに、遮へい体を引き伸ばして、風又は偶発的な現象の作用下で自己の財産を保証することを可能にする摺動遮へい体用のガイド式及び伸張式格納機構を備えるシステム提供し、このように、前述の移動折り畳み式ガイドに影響する制限を超える特性を有することである。
【課題を解決するための手段】
【００１３】
本発明によれば、請求項１に記載の摺動遮へい体、並びに、摺動遮へい体用のガイド式及び伸張式格納機構を備えるシステムが提供される。
【００１４】
本発明のより良い理解のために、単に非限定的実施例として、以下の添付の図面を参照して、好ましい実施形態がここに記載される。
【図面の簡単な説明】
【００１５】
【図１】本発明による、摺動遮へい体並びに摺動遮へい体用のガイド式及び伸張式格納機構を備えるシステムの立体的な模式図を示す。
【図２】本発明による、摺動遮へい体用のガイド式及び伸張式格納機構のガイドモジュールの模式的な立体図を示す。
【図３】本発明による、図２のガイドモジュール内に配置される摺動遮へい体用のガイド式及び伸張式格納機構の伸張部材の模式的な斜視図を示す。
【図４】本発明による、図３の伸張部材を含むシステムの模式的な正面図を示す。
【図５】本発明による、摺動遮へい体並びに摺動遮へい体用のガイド式及び伸張式格納機構を備えるシステム下部の模式的な斜視図を示す。
【図６】本発明による、図３の伸張部材の立体的な模式図を示す。
【発明を実施するための形態】
【００１６】
これらの図を参照すると、特に図４に対しては、本発明により、摺動遮へい体並びに摺動遮へい体用のガイド式及び伸張式格納機構を備えるシステムが示されている。詳細には、本システムは、例えば蚊帳のような、水平に摺動する布２０１を含み、図４及び５に示される下部ポケット２０１ａ、側板クロージャ２０２、図２に示される下部滑り台２０３ａを有するハンドルバー２０３、側部ボックス２０４、固定式上部ガイド２０５、及び図に示されない下部固定式ガイドを設けている摺動遮へい体２００を備える。
【００１７】
さらに、図２に最もよく示されているように、本システムは、複数の第１のガイドモジュール（１５１）及び複数の第２のガイドモジュール（１５２）を備え、下部滑り台２０３ａを通過するハンドルバー２０３内に折り曲げ及び挿入可能な単一のガイド本体を形成するために、お互いに連続して交互に連結される摺動遮へい体用のガイド式及び伸張式格納機構１５０を備える。
【００１８】
互いに交互に連結される第１のガイドモジュール１５１及び第２のガイドモジュール１５２は、ハンドルバー２０３と側部ボックス２０４との間に配置され、それに対応して、図示されない折り曲げ可能な単一のガイド本体の第１の末端部がしっかりと連結されている。
【００１９】
むしろ、図３に示すように、単一のガイド本体の第２の末端部１５１ｔが、ハンドルバー２０３内に摺動することができる。さらに、ガイド式及び伸張式格納機構１５０は、第１の端部１５３ａを有する伸張部材１５３を備え、それでも、有利には、単一のガイド本体の第２の末端部１５１ｔに取り付けられる。
【００２０】
本発明の態様によれば、伸張部材１５３は、図に示されない、遮へい体２００の下部ポケット２０１ａ内へ自在に挿入される第２の端部を有する。
【００２１】
本発明の別の態様によれば、図４に示すように、伸張部材１５３及び布２０１の下部ポケット２０１ａは、第１のガイドモジュール１５１の第１のハウジング１５１ａ内、及び図に示されない第２のガイドモジュール１５２の第２のハウジング内に別々に配置される。
【００２２】
有利には本発明によれば、ハンドルバー２０３を用いて遮へい体２００を開口する間に、ハンドルバー２０３から退出する機構１５０は、図５及び６に最もよく示されているように、機構に遮へい体２００の下部ポケット２０１ａ内で摺動させている伸張部材１５３を引っ張り出す。この方法において、結果的には、下部ポケット２０１ａ内の伸張部材１５３の挿入に対して、布２０１は、第１のガイドモジュール１５１の第１のハウジング１５１ａ内で、及び第２のガイドモジュール１５２の第２のハウジング内で係止される。
【００２３】
有利には本発明によれば、伸張部材１５３は、自動的に遮へい体の布２０１を管理して、それを伸張するように保つ。
【００２４】
本発明の態様によれば、伸張部材１５３は金属材料からなる。
【００２５】
本発明の別の態様によれば、伸張部材１５３はプラスチック材料からなる。
【００２６】
本発明の別の態様によれば、第１のガイドモジュール１５１及び第２のガイドモジュール１５２は、プラスチック材料からなる。
【００２７】
本発明の別の態様によれば、伸張部材１５３が棒材である。
【００２８】
したがって、本発明による摺動遮へい体並びに摺動遮へい体用のガイド式及び伸張式格納機構を備える本システムは、布が常に、風の作用下でさえシステムに固定され続けることを可能にする。
【００２９】
本発明による摺動遮へい体並びに摺動遮へい体用のガイド式及び伸張式格納機構を備える本システムの別の利点は、それに関する布を塞ぐことで、折り畳み周辺部が形成され、結果的に虫の侵入を防止するという事実にある。
【００３０】
本発明による摺動遮へい体並びに摺動遮へい体用のガイド式及び伸張式格納機構を備える本システムの別の利点は、構造の単純性にある。
【００３１】
本発明による摺動遮へい体並びに摺動遮へい体用のガイド式及び伸張式格納機構を備える本システムの別の利点は、最小限の空間にある。
【００３２】
本発明による摺動遮へい体並びに摺動遮へい体用のガイド式及び伸張式格納機構を備える本システムの更なる利点は、実利的な事実にある。
【００３３】
最後に、ここで図と共に説明された摺動遮へい体並びに摺動遮へい体用のガイド式及び伸張式格納機構を備える本システムが、添付の特許請求の範囲に規定される本発明の範囲をそれによって放棄せずに修正され変更することができることは明らかである。
【図１】
2019519699.tif 000003
【図２】
2019519699.tif 000004
【図３】
2019519699.tif 000005
【図４】
2019519699.tif 000006
【図５】
2019519699.tif 000007
【図６】
2019519699.tif 000008
【国際調査報告】
2019519699.tif 000009
2019519699.tif 000010
2019519699.tif 000011